(57)【要約】      （修正有）【課題】水晶片の２枚を同一容器内に収容し、発振用と温度補償用の２周波数に対応できる２段重ね構造の水晶振動子を提供する。【解決手段】励振電極２から引出電極３の延出した水晶片の主面を、金属ベース４主面に水平方向、垂直部を有するサポータにより水晶片の両端部を保持した構造であって、第１と第２の水晶片を板面を対向して引出電極の延出方向を交差した２段重ねとし、サポータは交差する直線上の両端部に設け、第１、第２サポータ５ａ、５ｂの垂直部下端側に第１保持部を、第３、第４サポータ５ｃ、５ｄの垂直部上端側に第２保持部を有し、第１水晶片１ａの両端部を第１保持部に、第２水晶片１ｂの両端部は交差する他方の直線上の両端側に設けられた上端側第２保持部に保持された構成とする。【選択図】図１
2009278490.tif 000002
【特許請求の範囲】
【請求項１】
両主面の励振電極から両端部に引出電極が延出した水晶片の主面をベース主面に対して水平方向とし、前記ベース主面に対して垂直部を有するサポータによって前記水晶片の両端部を保持してなる水晶振動子において、
前記水晶片は第１水晶片と第２水晶片とからなり、前記第１水晶片と第２水晶片とは板面を対向して、前記引出電極の延出方向を互いに交差した２段重ねとし、
前記サポータは互いに交差する直線上の両端部に設けられた金属平板からなる第１及び第２サポータと第３及び第４サポータとからなり、前記第１及び第２サポータの垂直部には少なくとも下端側に第１保持部を有し、前記第３及び第４サポータの垂直部には少なくとも上端側に第２保持部を有し、
前記第１水晶片の引出電極の延出した両端部は前記交差する直線上の一方の両端側に設けられた前記第１及び第２サポータの前記下端側の第１保持部に保持され、前記第２水晶片の引出電極の延出した両端部は前記交差する直線上の他方の両端側に設けられた前記第３及び第４サポータの前記上端側の保持部に保持されたことを特徴とする２段重ね構造の水晶振動子。
【請求項２】
請求項１において、前記第１及び第２水晶片の少なくとも一方は円板状又は正方形状として、前記第１〜第４サポータの少なくとも一つは前記下端側の第１保持部及び前記上端側の第２保持部のいずれをも有する２段重ね構造の水晶振動子。
【請求項３】
請求項１において、前記第１水晶片と第２水晶片とのいずれか一方は周波数温度特性が直線状に変化するＹカットとし、前記第１水晶片と第２水晶片との他方は前記Ｙカットの周波数温度特性よりも緩やかに変化する周波数温度特性とした厚みすべり系とした２段重ね構造の水晶振動子。
【請求項４】
請求項１において、前記サポータの垂直部に設けられた保持部は、金属平板から水平方向に突出した舌片である２段重ね構造の水晶振動子。
【発明の詳細な説明】
【技術分野】
【０００１】
本発明は２段重ね構造の水晶振動子を技術分野とし、特にベース上に設けたサポータに水晶片を２段重ねとして保持した水晶振動子に関する。
【背景技術】
【０００２】
（発明の背景）
水晶振動子は周波数制御及び選択素子として周知され、例えば通信機器の発振回路やフィルタを構成する上での重要な素子として組み込まれる。このようなものの一つに、例えば応力感度特性や熱衝撃特性に優れたＳＣカットの水晶振動子がある。そして、Ｃモードを発振用、Ｂモードを温度検出用（温度センサ用）として、電圧制御される温度補償型の水晶発振器が提案されている（特許文献１）。
【０００３】
（従来技術の一例）
第８図及び第９図は一従来例を説明する図で、第８図（ａ）はＳＣカットの切断方位図、同図（ｂ）は水晶片（ＳＣカット）の図、第９図（ａ）は水晶振動子の断面図、同図（ｂ）はサポータの図である。
【０００４】
水晶振動子はＳＣカットの水晶片１からなり、結晶軸（ＸＹＺ）のＸ軸及びＺ軸を中心としてα°（約３３°）及びβ°（約２２°）回転した新たな軸（Ｘ′Ｙ″Ｚ′）のＹ″軸に主面が直交する。要するに、Ｙ軸に直交した主面（Ｙ面）をＸ軸及びＹ軸を中心としてα°及びβ°回転した二回回転Ｙカット板からなる。
【０００５】
水晶片１の両主面には励振電極２が形成され、各励振電極２から水晶片１の直線上とした両端部に引出電極３を延出する。引出電極３は振動特性や耐衝撃性を考慮して任意の外周部に延出されるが、ここでは、応力に対して周波数変化が零（最小）となる応力感度零軸の両端部に延出する。ＳＣカットでの応力感度軸はＺ′軸から８°回転した軸（特許文献１）及びこれと直交するＺ′から９８°回転した軸となる。なお、引出電極３は各反対面に折返して形成されてあってもよい。
【０００６】
水晶片１は、金属ベース４の主面に対面して、互いに直交して応力感度零軸となる一方の直線上の両端部、及び同他方の直線上の両端部がサポータ５（ａ〜ｄ）によって保持される。サポータ５は平板状として水平部５ｘと垂直部５ｙからなるＬ字状とし、垂直部５ｙから水平方向として内側に折曲された舌片６が延出する。
【０００７】
そして、引出電極３の延出した一方の直線上となる水晶片１の両端部は、図示しない導電性接着剤によって舌片６に固着し、電気的・機械的に接続する。また、他方の直線上となる水晶片１の両端部は導電性あるいは絶縁性の接着剤によって固着され、機械的にのみ接続する。
【０００８】
サポータ５の水平部５ｘは、金属ベース４の一主面に突出した各リード線７（ａ〜ｄ）にスポット溶接によって接続して垂直部５ｙが立設する。各リード線７（ａ〜ｄ）７は金属ベース４の貫通孔に充填されたガラス７ｘによって気密化され所謂気密端子とする。そして、金属カバー８が例えば抵抗溶接によって接合して水晶片１を密閉封入する。
【０００９】
このようなＳＣカットの水晶振動子では、主振動として適用するＣモード（厚みすべり振動姿態）ｆc以外に、これより共振周波数が高いＢモード（厚み捻れ振動姿態）ｆb及びＡモード（厚み縦振動姿態）ｆaが発生する「第１０図（ａ）」。そして、これらの振動モードのうち、ＣモードとＢモードの周波数温度特性は、例えば常温（２５℃）での周波数偏差Δｆ／ｆを０として、Ｃモードは概ね８０℃を最大値として常温付近で傾斜の緩い２次曲線（放物線）となる。また、Ｂモードは常温を中心として傾斜が大きい一次曲線（直線）となる「第１０図（ｂ）」。
【００１０】
これらのことから、特許文献２等では、図示しない発振回路を設けてＢモードの周波数温度特性による常温時と発振時の周波数差から周囲温度を検出して温度センサとする。そして、温度センサによる周波数差を電圧変換して制御電圧とし、これをＣモード用の発振回路に設けた電圧可変容量素子に印加してＣモードの周波数温度特性を補償するとしている。
【００１１】
これによれば、例えば温度センサとしてサーミスタを用いた場合に比較し、水晶振動子（水晶片）の動作温度を直接に検出できるとともに温度に対する周波数変化も大きい。したがって、Ｂモードによる温度センサをリアルタイム・高感度としてＣモードによる周波数温度特性を高精度に補償できる。
【特許文献１】特開２００２−２６１５６７号公報（段落００３４）
【特許文献２】特開２００５−２３６８０１号公報
【特許文献３】特開平９−１５３７４０号公報
【発明の開示】
【発明が解決しようとする課題】
【００１２】
（従来技術の問題点）
しかしながら、上記構成のＳＣカットとした水晶振動子のＢモードによる温度センサによって、Ｃモードによる発振周波数を温度補償するには次の問題があった。すなわち、ＳＣカットとして単一板からなる水晶振動子のＣモードとＢモードとをそれぞれの発振回路にて同時に発振させるので、発振回路同士が互いに干渉して完全に独立分離した発振周波数を得ることが困難な問題があった。
【００１３】
このことから、Ｃモード用とＢモード用の水晶振動子を別個にしてそれぞれに発振回路を設け、両者の干渉を防止することも考えられた。しかし、この場合には、ＳＣカットとした２個の水晶振動子を使用することから、経済性も含めて小型化を阻害する問題を生ずる。
【００１４】
（発明の目的）
本発明は、水晶片の２枚を同一容器内に収容して、２周波数に対応できる２段重ね構造の水晶振動子を提供することを目的とする。
【課題を解決するための手段】
【００１５】
本発明は、特許請求の範囲（請求項１）に示したように、両主面の励振電極から両端部に引出電極が延出した水晶片の主面をベース主面に対して水平方向とし、前記ベース主面に対して垂直部を有するサポータによって前記水晶片の両端部を保持してなる水晶振動子において、前記水晶片は第１水晶片と第２水晶片とからなり、前記第１水晶片と第２水晶片とは板面を対向して、前記引出電極の延出方向を互いに交差した２段重ねとし、前記サポータは互いに交差する直線上の両端部に設けられた金属平板からなる第１及び第２サポータと第３及び第４サポータとからなり、前記第１及び第２サポータの垂直部には少なくとも下端側に第１保持部を有し、前記第３及び第４サポータの垂直部には少なくとも上端側に第２保持部を有し、前記第１水晶片の引出電極の延出した両端部は前記交差する直線上の一方の両端側に設けられた前記第１及び第２サポータの前記下端側の第１保持部に保持され、前記第２水晶片の引出電極の延出した両端部は前記交差する直線上の他方の両端側に設けられた前記第３及び第４サポータの前記上端側の保持部に保持された構成とする。
【発明の効果】
【００１６】
このような構成であれば、第１水晶片の両端部は第１及び第２サポータの下端側の保持部に、第２水晶片の両端部は第３及び第４サポータの上端側の保持部に保持される。したがって、第１及び第２水晶片を同一容器内に収容して水晶振動子の平面外形面積を小さくできる。
【００１７】
（実施態様項）
本発明の請求項２では、請求項１において、前記第１及び第２水晶片の少なくとも一方は円板状又は正方形状として、前記第１〜第４サポータの少なくとも一つは前記下端側の第１保持部及び前記上端側の第２保持部のいずれをも有する。
【００１８】
これにより、例えば円板状とした第１又は第２水晶片の引出電極の延出した両端部を第１及び第２サポータ又は第３及び第４サポータのいずれかによって保持する。そして、第１〜第４サポータの少なくとも一つに設けた下端側又は上端側の保持部によって、引出電極の延出した両端部との間となる外周部を保持できる。したがって、円板状とした晶片の外周部を少なくとの３点保持するので、保持強度を高められる。
【００１９】
同請求項３では、請求項１において、前記第１水晶片と第２水晶片とのいずれか一方は周波数温度特性が直線状に変化するＹカットとし、前記第１水晶片と第２水晶片との他方は前記Ｙカットの周波数温度特性よりも緩やかに変化する周波数温度特性とした厚みすべり系とする。これにより、Ｙカットの水晶片を温度検出用として、厚みすべり系とした水晶片（水晶振動子）の周波数温度特性を補償できる。
【００２０】
同請求項４では、請求項１において、前記サポータの垂直部に設けられた保持部は、金属平板から水平方向に突出した舌片とする。これにより、請求項１での保持部を明確にして、第１水晶片と第２水晶片の保持を容易にする。
【発明を実施するための最良の形態】
【００２１】
（第１実施形態）
第１図は本発明の第１実施形態を説明する２段重ね構造の水晶振動子の図で、同図（ａ）は断面図、同図（ｂ）は金属ベース及び金属カバーを除く平面図である。なお、前従来例と同一部分には同番号を付与してその説明は簡略又は省略する。
【００２２】
２段重ね構造の水晶振動子は、金属ベース４上に突出した第１〜第４のリード線７（ａｂ）及び７（ｃｄ）にそれぞれ対をなす第１、第２及び第３、第４のサポータ５（ａｂ）及び５（ｃｄ）が接続する。そして、第１及び第２水晶片１（ａｂ）が面対向し、さらに金属ベース４の主面に対して水平方向として、第１〜第４のサポータ５（ａ〜ｄ）によって保持される。
【００２３】
この実施形態では、第１及び第２水晶片１（ａｂ）はいずれも円板状として例えば同一寸法とする。第１水晶片１ａは前述のように二回回転ＹカットとしたＳＣカットとし、第２水晶片１ｂはＹ軸が主面に直交したＹカットとする。第１水晶片（ＳＣカット）１ａはＣモードによる厚みすべり振動を主振動として発振用とし、第２水晶片（Ｙカット）１ｂは厚みすべり振動を主振動として温度センサ用とする。
【００２４】
第１及び第２水晶片１（ａｂ）は前述同様にいずれも両主面に励振電極２を有し、直線上の両端部に引出電極３を延出する。第１水晶片（ＳＣカット）１ａはＺ′軸から約８°回転した応力感度零軸となる直線上の両端部に引出電極３を延出する「前第８図（ｂ）参照」」。なお、ＳＣカットでは、前述したようにＺ′軸から約８°回転した一方の直線と直交するＺ′軸から９８°とした他方の直線上の両端部も応力感度零軸となる。
【００２５】
この場合、第１水晶片（ＳＣカット）１ａはＣモードとして、周波数温度特性は前述同様の約８０℃に最大値を有する２次曲線とし、例えば常温２５℃を中心とした規格温度範囲−２０°〜＋７０℃では緩やかな直線状とする。また、第２水晶片（Ｙカット）１ｂは、厚みすべり振動として、周波数温度特性を前述したＢモードと同様に、常温を中心としてＣモードより傾きの大きい１次曲線とする。
【００２６】
そして、第１及び第２リード線７（ａｂ）は金属ベース４の表面上で直交する一方の直線上の両端部に突出し、第３及び第４リード線７（ｃｄ）は他方の直線上の両端部に突出する。そして、第１及び第２サポータ５（ａｂ）は第１及び第２リード線７（ａｂ）に、第３及び第４サポータ５（ｃｄ）は第３及び第４気密端子７（ｃｄ）に、それぞれの下端部が接続する。
【００２７】
第１〜第４サポータ５（ａ〜ｄ）は、第２図に示したように、いずれも、前述同様に金属平板からなり、水平部５ｘから垂直部５ｙが延出したＬ字状とする。そして、垂直部５ｙの上下領域には各下辺を残して切り込み９が設けられ、水平方向に折曲されて上下端側の舌片６（ｘｙ）となる保持部予定域を有する。
【００２８】
このようなものでは、先ず、第１〜第４サポータ５（ａ〜ｄ）は水平部５ｘがスポット溶接等によってリード線７の先端に接合する。例えば、第１〜第４サポータ５（ａ〜ｄ）の下端側となる舌片６ｘが予め対向する内側に水平方向に折曲された後、各サポータ５の水平部５ｘがリード線子７（ａ〜ｄ）に接合する。あるいは、水平部５ｘをリード線７（ａ〜ｄ）に接合した後、舌片６ｘが水平方向に折曲される。そして、各サポータ５（ａ〜ｄ）の上領域での保持部予定域の舌片６ｙはそのままとする。
【００２９】
次に、上領域の舌片６ｘが折曲されない状態で（第３図）、第１水晶片（ＳＣカット）１ａの引出電極３が延出した一方の直線上の応力感度零軸となる両端部を第１及び第２サポータ５（ａｂ）の下端側の舌片６ｘ上に、図示しない導電性接着剤によって固着して電気的・機械的に接続する。そして、これとは直交する他方の直線上の両端部を第３及び第４サポータ５（ｃｄ）の下端側の舌片６ｘ上に、絶縁性あるいは導電性の接着剤によって固着して機械的にのみ接続する。
【００３０】
次に、第３及び第４サポータ５（ｃｄ）の上領域となる保持部予定域の各舌片６を水平方向として内側に折曲して上端側の保持部とする。そして、第２水晶片（Ｙカット）１ｂの引出電極３が延出した一方の直線上の両端部を第３及び第４サポータ５（ｃｄ）の上端側の保持部としての舌片６ｙ上に、これとは直交する他方の直線上の両端部を第３及び第４サポータ５（ｃｄ）の上端側の同舌片６ｙ上に保持する（第１図）。この場合も、引出電極３が延出した一方の直線上の両端部は導電性接着剤によって電気的・機械的に、他方の直線上の両端部は絶縁性あるいは導電性の接着剤によって機械的にのみ固着される。
【００３１】
そして、金属カバー８が例えば抵抗溶接によって金属ベース４に接合される。なお、抵抗溶接のみならず、例えば冷間圧接（コールドウェルド）等でもよく、金属ベース４の形状も含めてこれらに制限されない。これにより、第１水晶片（ＳＣカット）１ａと第２水晶片（Ｙカット）１ｂとを金属ベース４及びカバー８からなる金属容器内に一体的に密閉封入する。
【００３２】
このような構成であれば、第１水晶片（ＳＣカット）１ａ及び第２水晶片（Ｙカット）１ｂを第１、第２サポータ５（ａｂ）及び第３、第４サポータ５（ｃｄ）の舌片６（ｘｙ）によって上下方向に配置して保持する。したがって、第１及び第２水晶片１（ａｂ）を個別の金属ベース４上に保持して密閉封入した場合に比較し、金属ベース４や金属カバー８を共用して各１個とするので、経済性に富んで実装面積を小さくできる。
【００３３】
また、この例では、第１及び第２水晶片１（ａｂ）のいずれをも４点保持とするので機械的強度を高められる。そして、発振用とする第１水晶片（ＳＣカット）１ａはＺ′軸から約８°傾斜した直線上の両端部、及びＺ′軸から９８°傾斜した各直線上の応力感度零軸を保持する。したがって、例えば導電性接着剤のエージングによる応力変化等による周波数変化を防止できる。また、いずれも円板状として面積を大きくするので、設計の自由度を高めて振動特性を良好に維持する。なお、第１水晶片１ａと第２水晶片１ｂとは上下関係が逆として配置されても同様である。
【００３４】
（第２実施形態）
第４図は本発明の第２実施形態を説明する金属ベース及び金属カバーを除く２段重ね構造とした水晶振動子の平面図である。なお、前実施形態と同一部分の説明は省略又は簡略する。
【００３５】
第２実施形態では、第１水晶片（ＳＣカット）１ａは円板状とし、応力感度零軸となる一方の直線上の両端部に引出電極３を延出する。第２水晶片（Ｙカット）１ｂは一方向に長い矩形状として両端部に引出電極３を延出する。第１水晶片１ａの直径と第２水晶片１ｂの長辺は概ね同一長とする。第１〜第４サポータ５は前述同様にいずれも上下領域に保持部予定域（舌片６）とする切り込み９を有する。
【００３６】
そして、第１実施形態と同様に、先ず、引出電極３の延出した応力感度零軸である一方の直線上とした第１水晶片（ＳＣカット）１ａの両端部を、第１及び第２サポータ５（ａｂ）の下端側となる舌片６ｘに導電性接着剤によって電気的・機械的に接続する。また、応力感度軸である他方の直線上の両端部を第３及び第４サポータ５（ｃｄ）の舌片６ｘに接着剤によって機械的にのみ接続する。
【００３７】
次に、第３及び第４サポータ５（ｃｄ）の上領域の保持部予定域の舌片６を水平方向として折曲して上端側の保持部を形成する。そして、矩形状とした第２水晶片（Ｙカット）１ｂの両端部を導電性接着剤によって電気的・機械的に接続する。
【００３８】
この場合でも、第１実施形態と同様に、第１、第２及び第３、第４サポータ５（ａｂ）及び５（ｃｄ）によって、第１及び第２水晶片１（ａｂ）を上下方向に配置して、単一の金属容器内に密閉封入する。したがって、従来例に比較し、金属ベース４やカバー８を共用して各１個とするので、経済性に富んで実装面積を小さくできる。
【００３９】
また、ここでは、第１〜第４サポータ５（ａｂ）はいずれも上端及び下端側に切り込み９の設けられて舌片６となる保持部予定域を有する同一部材とするので、部品の共通化を図れる。但し、矩形状とした第２水晶片１ｂの両端部を第３及び第４サポータ５（ｃｄ）の舌片６（ｘｙ）で保持するので、第１及び第２サポータ５（ｃｄ）は上領域に切り込みを設けた保持部予定域はなくともよい。
【００４０】
なお、円板状とした第１水晶片を上端側の舌片６ｙに、矩形状とした第２水晶片を下端側の舌片６ｘに保持しても同様である。
【００４１】
（第３実施形態）
第５図は本発明の第３実施形態を説明する金属ベース及び金属カバーを除く２段重ね構造とした水晶振動子の平面図である。なお、前実施形態と同一部分の説明は省略又は簡略する。
【００４２】
第３実施形態では、第１水晶片（ＳＣカット）１ａと第２水晶片（Ｙカット）１ｂのいずれをも一方向に長い矩形状とする。第１水晶片１ａはＺ′軸から８°又は９８°傾斜した応力感度零軸を長さ方向とする。そして、この場合でも、第１〜第４サポータ５（ａ〜ｄ）はいずれも同一部材とし、上下領域に切り込み９の設けられて上下端側の舌片６（保持部）となる保持部予定域を有する。
【００４３】
そして、第１水晶片１ａの応力感度零軸となる両端部を、直交する直線上の一方の両端部に設けた第１及び第２サポータ５（ａｂ）の下端側の各舌片６ｘに、導電性接着剤によって電気的・機械的に接続する。次に、他方の直線上の両端部に設けた第３及び第４サポータ５（ｃｄ）の上領域の保持部予定域の舌片６ｙを内側に折曲して保持部とし、第１水晶片１ａの両端部を接着剤によって機械的にのみ接続する。
【００４４】
この場合でも、前述同様に、従来例に比較し、金属ベース４やカバー８を共用して各１個とするので、経済性に富んで実装面積を小さくできる。そして、第１〜第４サポータ５（ａ〜ｄ）を同一部材とするので部品の共通化を図れる。但し、第１及び第２サポータ５（ａｂ）は下領域のみに舌片６ｘとする保持部予定域が、第３及び第４サポータ５は上領域のみに舌片６ｙとする保持部予定域があればよい。
【００４５】
なお、第１水晶片１ａと第２水晶片１ｂとの長さが異なる場合は、第１、第２及び第３、第４サポータ５（ａｂ）、５（ｃｄ）の水平部５ｘのリード線７に対する接続点を変えることによって調節できる。また、舌片６（ｘｙ）の長さを可変することによっても対応できる。
【００４６】
（第４実施形態）
第６図は本発明の第４実施形態を説明する水晶振動子の図で、同図（ａ）は第１水晶片の、同図（ｂ）は第２水晶片の保持状態を示す平面図である。ここでも、前実施形態と同一部分の説明は省略又は簡略する。
【００４７】
第１及び第２実施形態では円板状とした第水晶片（ＳＣカット）１ａの互いに直交する直線上の各両端部を保持して４点保持としたが、第４実施形態では３点保持とする。この場合でも、互いに直交する直線上の両端部に設けられる第１〜第４サポータ５（ａｂｃｄ）は同一部材として、垂直部の上下領域に舌片６（ｘｙ）となる保持部予定域を有する。
【００４８】
そして、先ず、一方の直線上とした両端部の第１及び第２サポータ５（ａｂ）の下端側の舌片６ｘ、及び他方の直線上とした両端部の一方の例えば第３サポータ５ｃの下端側の舌片６ｘを水平方向に折曲する。この場合、第４サポータ５ｄの舌片６ｘは折曲されず、保持部予定域内にそのまま留める。
【００４９】
そして、引出電極３の延出した第１水晶片１ａの両端部を第１及び第２サポータ５の下端側の舌片６ｘに導電性接着剤によって電気的・機械的に接続する。また、他方の直線上となる第１水晶片１ａの一端部を第３サポータ５ｃの下端側の舌片６ｘに接着剤によって機械的にのみ接続する。
【００５０】
次に、他方の直線上とした第３及び第４サポータ５（ｃｄ）の上端側の舌片６ｙ、及び一方の直線上とした両端部の一方の例えば第３サポータ５ａの上端側の舌片６ｙを水平方向に折曲する。そして、他方の直線上となる引出電極３の延出した第２水晶片１ｂの両端部を第３及び第４サポータ５（ｃｄ）の上端側の舌片６ｙに導電性接着剤によって電気的・機械的に接続する。また、一方の直線上となる第２水晶片１ｂの一端端部を第３サポータ５ｃの上端側の舌片６ｙに接着剤によって機械的にのみ接続する。
【００５１】
このような構成であれば、円板状とした第１及び第２水晶片１（ａｂ）を３点保持とするので、２点保持よりも機械的強度を良好に維持できる。なお、３点保持とするので、４点保持に比較して例えは保持部（舌片）の高さズレがあっても、導電性接着剤等による固着による第１及び第２水晶片１の板面の歪み（たわみ）を防止する。
【００５２】
そして、前述同様に、従来例に比較し、金属ベース４やカバー８を共用して各１個とするので、経済性に富んで実装面積を小さくできる。そして、第１〜第４サポータ５（ａｂｃｄ）を同一部材とするので部品の共通化を図れる。
【００５３】
なお、この実施形態では、第１及び第２水晶片１（ａｂ）のいずれをも円板状としたが、いずれか一方を円板状とした場合でも、同様にして３点保持とすることができる。この場合、基本的には、第１〜第４サポータ５（ａ〜ｄ）の少なくとも一つが上下端側のいずれにも舌片６（ｘｙ）とした保持部を有すればよい（請求項２に相当）。
【００５４】
例えば下側を円板状とした第１水晶片１ａとし、上側を矩形状とした第２水晶片１ｂとした場合（前第４図の場合）は、例えば第３サポータ３ｃのみが上下端の舌片６（ｘｙ）を有し、第１、第２サポータ５（ａｂ）は下端側のみに舌片６ｘを有し、第４サポータ５ｄは上端側のみに舌片６ｙを有すればよい。
【００５５】
（他の事項）
上記実施形態では、水晶片１を円板状とした場合には３点及び４点保持としたが、水晶片は正方形状でも同様であり、引出電極３の延出した両端部のみの２点保持であってもよい。この場合でも、第１〜第４サポータ５（ａｂ）は上下領域に保持部予定域を有する同一部材とすれば好都合となる。
【００５６】
また、各サポータ５（ａ〜ｄ）は互いに直交する直線上は各両端部に設けたが、直交のみならず交差する直線上としても適用できる。そして、第１水晶片（ＳＣカット）１ａは引出電極３の延出した一方の直線上の両端部及びこれと直交する直線上であって、いずれも応力感度零軸となる各両端部を保持したが、必ずしも応力感度零軸には限らず振動特性の観点から決定される直線上の両端部に引出電極３を延出できる。
【００５７】
また、第１〜第４サポータ５（ａ〜ｄ）は平板状として水平部５ｘと垂直部５ｙとのＬ字状としたが、垂直部５ｘのみであっても同様に適用できる。そして、各サポータ５は垂直部から舌片６を突出させたが、例えば第１水晶片１ａと第１水晶片１ｂとの大きさが異なる場合には、例えば第７図に示したように、第１段部１０ａと第２段部１０ｂを保持部としたサポータ５であっても適用できる。さらに、金属ベース４に代えて表面実装用とした例えばセラミックベースを適用した場合でも、サポータを２段構造としてセラミックベース上に配置することによって適用できる。
【００５８】
また、発振用としての第１水晶片１ａはＳＣカットのみならず例えばＡＴカットやＢＴカット等の厚みすべり系に適用できる。そして、第１水晶片１ａは温度センサ用としたが、第１及び第２水晶片１（ａｂ）のいずれをも例えばＳＣカットやＡＴカットとして発振用としてもよい。さらに、第１水晶片１ａは発振用として、第１水晶片１ａを特許文献３に示されるような共振子（フィルタ）として使用することもできる。
【図面の簡単な説明】
【００５９】
【図１】本発明の第１実施形態を説明する２段重ね構造の水晶振動子の図で、同図（ａ）は断面図、同図（ｂ）は金属ベース及び金属カバーを除く平面図である。
【図２】本発明の第１実施形態を説明するサポータの図で、同図（ａ）は外観図、同図（ｂ）は舌片を折曲する前の正面図である。
【図３】本発明の第１実施形態形態を説明する製造工程中の２段重ね構造とした水晶振動子の断面図である。
【図４】本発明の第２実施形態を説明する金属ベース及び金属カバーを除く２段重ね構造とした水晶振動子の平面図である。
【図５】本発明の第３実施形態を説明する金属ベース及び金属カバーを除く２段重ね構造とした水晶振動子の平面図である。
【図６】本発明の第４実施形態を説明する水晶振動子の図で、同図（ａ）は第１水晶片の、同図（ｂ）は第２水晶片の保持状態を示す平面図である。
【図７】本発明に適用される他のサポータの図である。
【図８】一従来例を説明する図で、同図（ａ）はＳＣカットの切断方位図、同図（ｂ）は水晶片（ＳＣカット）の平面図である。
【図９】一従来例を説明する図、同図（ａ）は水晶振動子の断面図、同図（ｂ）はサポータの図である。
【図１０】一従来例を説明する図で、同図（ａ）はＳＣカットのリアクタンス特性図、同図（ｂ）はＣモード及びＢモードの周波数温度特性図である。
【符号の説明】
【００６０】
１  水晶片、２  励振電極、３  引出電極、４  金属ベース、５  サポータ、６  舌片、７  リード線、８  金属カバー、９  切り込み、１０  段部。
【図２】
2009278490.tif 000003
【図４】
2009278490.tif 000004
【図５】
2009278490.tif 000005
【図６】
2009278490.tif 000006
【図７】
2009278490.tif 000007
【図８】
2009278490.tif 000008
【図１０】
2009278490.tif 000009
【図１】
2009278490.tif 000010
【図３】
2009278490.tif 000011
【図９】
2009278490.tif 000012